(57)【要約】      （修正有）【課題】簡易な形状であって、使用時の違和感を臥床者に抱かせることのない洗髪シートを提供する。【解決手段】洗髪シート１は、底部が直線状で頂部がハート型に形成された防水性不織布３の所定領域に臥床者の頭部を載せる高分子吸収体３が設けられており、細長片４の一端が防水性不織布３に固着して取り付けられ、細長片４の他端が防水性不織布３にマジックテープによって着脱自在に取り付けられる。なだらかなハート型のボウルを呈することから、臥床者や介護者への印象も良く、洗髪しやすい形状を呈している。【選択図】図２
0003177037.tif 000002
【実用新案登録請求の範囲】
【請求項１】
防水性不織布の所定領域に臥床者の頭部を載せる高分子吸収体が設けられた洗髪シートであって、
前記防水性不織布は、臥床者の後頚部を載置する側の端辺が直線状に形成され、前記高分子吸収体が設けられた面の反対面に臥床者の頚部に巻く細長片が取り付けられていることを特徴とする洗髪シート。
【請求項２】
前記細長片の一端が前記防水性不織布に固着して取り付けられ、前記細長片の他端が前記防水性不織布に着脱自在に取り付けられることを特徴とする請求項１記載の洗髪シート。
【請求項３】
前記防水性不織布の頂部がハート型に形成されていることを特徴とする請求項１又は請求項２記載の洗髪シート。
【請求項４】
前記防水性不織布の裏面には、前記ハート型の凹部中央から前記高分子吸収体が位置する箇所に亘って、細長状の固い凸条が形成されていることを特徴とする請求項１から３のいずれか記載の洗髪シート。
【考案の詳細な説明】
【技術分野】
【０００１】
本考案は、臥床者をベッド上や畳上で洗髪する際に用いられる洗髪シートに関する。
【背景技術】
【０００２】
従来より、寝たきりになっている病人や老齢者等の臥床者の洗髪を容易に行うことができるように、防水性不織布の所定領域に臥床者の頭部を載せる高分子吸収体が設けられた洗髪シートが存在する（特開２０００−１９７５１５号公報、特開２００６−５８０号公報）。また、このような洗髪シートに代えて、身近な市販品である「紙オムツ」を代用して洗髪している例もある。
【０００３】
従来存在する洗髪シートは、臥床者の後頚部及び左右頚部にうまくフィットするように、適度なカーブが形成されている（特開２０００−１９７５１５号公報［図１］、特開２００６−５８０号公報［図１］）。また、洗髪時に臥床者の背部に湯水が流れ込むことがないように、頚部に細長片を巻き付けたり（特開２０００−１９７５１５号公報明細書［００１４］、着脱自在に接着テープで接着している（特開２００６−５８０号公報［００１１］）。
【０００４】
このように、フィット性や不快性を考慮して、洗髪シートの形状や構成に種々の工夫が施されている。
【考案の開示】
【考案が解決しようとする課題】
【０００５】
しかしながら、フィット性を考慮して臥床者の後頚部及び左右頚部に相当する領域に丸みを帯びた形状とすることは、生産コストの面からは適切でない場合もある。特に、簡易かつ使い捨て可能という点からは、なるべく簡易な形状である程生産性は良い。
【０００６】
また、不快性を考慮して頚部との密着性を高めるために、頚部に細長片を巻き付けることは、臥床者の頚部を圧迫することにもなり、一方で、接着テープで接着することは締め付けや脱着時の痛みを伴うことにもなるため、背部に湯水が流れ込むことがないという問題とは別の側面からの問題が生じる。
【０００７】
また、丸みを帯びてフィットしている上に密着性を高めることは、フィットしている部分とそれ以外の部分の境界で首筋に痛みが出るなどの問題も生じる。
【０００８】
さらに、紙オムツを代用して洗髪する場合は、介護者や医療従事者は心苦しく感じていたとともに、臥床者やその家族にも不快な思いを与えるという問題も生じる。
【０００９】
本考案はこのような点に鑑みてなされたものであり、その目的は、簡易な形状であって、使用時の違和感を臥床者等に抱かせることのない洗髪シートを提供することにある。
【課題を解決するための手段】
【００１０】
以上のような課題を解決するために、本考案は、以下のものを提供する。
【００１１】
（１）  防水性不織布の所定領域に臥床者の頭部を載せる高分子吸収体が設けられた洗髪シートであって、前記防水性不織布は、臥床者の後頚部を載置する側の端辺が直線状に形成され、前記高分子吸収体が設けられた面の反対面に臥床者の頚部に巻く細長片が取り付けられていることを特徴とする洗髪シート。
【００１２】
本考案によれば、臥床者の後頚部を載置する側の端辺が直線状に形成され、従来のように丸みを帯びた形状に比べて簡易な形状を構成していることから、生産性の高い洗髪シートを提供することができる。
【００１３】
また、高分子吸収体が設けられた面の反対面に臥床者の頚部に巻く細長片が取り付けられており、臥床者の頚部を洗髪シートで覆うようにして細長片を巻くように構成していることから、細長片を頚部にきつく締めなくても頚部との密着性を高めた洗髪シートを提供することができる。
【００１４】
（２）  前記細長片の一端が前記防水性不織布に固着して取り付けられ、前記細長片の他端が前記防水性不織布に着脱自在に取り付けられることを特徴とする洗髪シート。
【００１５】
本考案によれば、臥床者の頚部に細長片を巻く際に、臥床者の頚部を圧迫することのないような適切な位置に細長片の他端を取り付けることができることから、臥床者に違和感を抱かせることのない洗髪シートを提供することができる。
【００１６】
（３）  前記防水性不織布の頂部がハート型に形成されていることを特徴とする洗髪シート。
【００１７】
本考案によれば、直線状の底部を臥床者の頚部に巻いたときに、ハート型に形成されている平板状の頂部がなだらかなハート型のボウルを呈することから、臥床者や介護者への印象も良く、洗髪しやすい形状を呈した洗髪シートを提供することができる。
【００１８】
（４）  前記防水性不織布の裏面には、前記ハート型の凹部中央から前記高分子吸収体が位置する箇所に亘って、細長状の固い凸条が形成されていることを特徴とする洗髪シート。
【００１９】
本考案によれば、細長状の固い凸条によってハート型の形状を容易に維持することが可能となることから、臥床者や介護者への印象も良く、洗髪しやすい形状を呈した洗髪シートを提供することができる。
【考案の効果】
【００２０】
以上説明したように、本考案によれば、生産性が高く、臥床者に違和感を抱かせることがない、洗髪しやすい形状を呈した洗髪シートを提供することができる。
【図面の簡単な説明】
【００２１】
【図１】
【図２】本考案の実施の形態に係る額縁を示す図。
【図３】本考案の実施の形態に係る写真収容アルバムを示す図。
【考案を実施するための最良の形態】
【００２２】
以下、本考案の実施の形態について、図面を参照しつつ説明する。
【００２３】
図１は、本考案の実施の形態に係る洗髪シート１について説明するための図であり、（ａ）は表面図、（ｂ）は裏面図である。
【００２４】
本考案の実施の形態に係る洗髪シート１は、防水性不織布２と高分子吸収体３と細長片４とから構成されており、防水性不織布２の表面に高分子吸収体３が、その裏面に細長片４の一端が、それぞれ取り付けられている。防水性不織布２と高分子吸収体３はともに周知のものであり、高分子吸収体３により１リットル程度の水分を吸収することができる。
【００２５】
防水性不織布２は、頂部がハート型に、底部が直線状に形成されており、直線状の底部に沿うようにして四角平板状の高分子吸収体３が固定されている。また、防水性不織布２の裏面には細長状の固い凸条５がハート型の凹部中央から高分子吸収体３が位置する箇所に亘って形成されている。この凸条５は、ハート型の凹部中央から高分子吸収体３が位置する箇所に亘って切り込みを入れ、切り込まれた位置を縫い合わせることによって形成される。細長状の固体物をサンドイッチした状態で縫い合わせることで、より強度を増すことができる。
【００２６】
なお、切り込みによって形成された凸条５は、防水性不織布２をハート型の凹部中央に向けて撓ませ、防水性不織布２の頂部を立ち上がらせて保持していることから、なだらかなハート型のボウルを呈することができる。また、洗髪シート１の収納時（折り畳み時）は、立ち上がらせて保持している防水性不織布２の頂部を表面側に折り畳むことで、凸条５に無理な張力をかけることなく、容易に収容することができる。
【００２７】
細長片４は、その一端４ａが防水性不織布２に固着されており、着脱不可能に取り付けられている。一方、細長片４の他端４ｂには、防水性不織布２に着脱自在に取り付けられるマジックテープ４ｂが設けられている。
【００２８】
図２及び図３は、本考案の実施の形態に係る洗髪シート１の使用例について説明するための図である。
【００２９】
図２に示すように、洗髪シート１の裏面に取り付けられた細長片４の他端４ｂを、洗髪シート１の裏面に取り付けることで、なだらかなハート型のボウルを呈することができる。他端４ｂの取り付け位置によってボウルの奥行きを調整することができ、細長片４を臥床者の頚部に巻き付けることはない。また、図１に示す洗髪シート１の左右両端を細長片４の引っ張り張力によって立ち上がらせることで図２に示す、より完全なハート型の形状を呈することができる。
【００３０】
図３は、介護者が臥床者を洗髪する際に洗髪シート１を用いている状態を説明するための図である。実際の使用の一例を以下に説明する。
【００３１】
・首元から水が漏れないように、臥床者の首にタオル等の繊維吸水体５を巻く。
・吸水面を水のかかる位置に調整しながら、洗髪シート１を頭の下に敷く
・細長片４を首に巻き、先端部分４ｂのマジックテープを防水性不織布２の適当な位置に貼り付ける。
・マジックテープの貼り付け位置によって、洗髪シート１が立ち上がり、立体的なボウル状になる。
・簡易洗髪を行う。吸水量は１リットル程度であることから、すすぎの前に泡を十分取り除き、すすぎの水量を極力減らすなど、効率的に水を使うことが望ましい。
・髪の水分をタオルで拭き取り、吸水面を内側に折り曲げて、破棄する。
【符号の説明】
【００３２】
１  洗髪シート
２  防水性不織布
３  高分子吸収体
４  細長片
５  繊維吸水体
【図１】
0003177037.tif 000003
【図２】
0003177037.tif 000004
【図３】
0003177037.tif 000005
【手続補正書】
【提出日】平成24年6月12日(2012.6.12)
【手続補正１】
【補正対象書類名】明細書
【補正対象項目名】００２１
【補正方法】変更
【補正の内容】
【００２１】
【図１】本考案の実施の形態に係る洗髪シートについて説明するための図。
【図２】本考案の実施の形態に係る洗髪シートの使用例について説明するための図。
【図３】本考案の実施の形態に係る洗髪シートの使用例について説明するための図。